(57)【要約】【課題】コストアップの要因や装置の小型軽量化の障害になるような新たな部品を付加することなく、合理的に電力消費の低減を図ることができる。【解決手段】制御部１３は、電源スイッチのオン状態又はオフ状態に応じて通常動作モード又は節電動作モードを設定し、節電モードにおいては設定されている所定時間が経過したときに基地局に対して位置登録を行う機能および基地局から受信メールを着信して加入者情報記憶部１４に記憶する機能を実行し、通常動作モードにおいては加入者情報記憶部１４に記憶されている受信メールを操作に応じて読み出す機能およびその他装置に具備されている通常の機能を実行する。【選択図】        図１
2005020117.tif 000002
【特許請求の範囲】
【請求項１】
電源スイッチのオン状態又はオフ状態に応じてそれぞれ通常動作モード又は節電動作モードを設定する動作モード設定手段と、
前記節電モードにおいては設定されている所定時間が経過したときに基地局に対して位置登録を行う機能および基地局から受信メールを着信して所定の記憶手段に記憶する機能を実行し、前記通常動作モードにおいては前記記憶手段に記憶されている受信メールを操作に応じて読み出す機能およびその他装置に具備されている通常の機能を実行する制御手段と、
を備えたことを特徴とする通信端末装置。
【請求項２】
前記モード設定手段は、操作によって入力された数値に基づいて前記所定時間を設定することを特徴とする請求項１記載の通信端末装置。
【請求項３】
前記モード設定手段は、位置登録をした時から次の位置登録を行う時までの所定時間および受信メールを着信した時から次に着信する時までの所定時間を操作によって入力された数値に基づいて個別に設定することを特徴とする請求項２記載の通信端末装置。
【請求項４】
前記モード設定手段は、操作によって入力された曜日又は時間帯および数値に応じたパターンに基づいて前記所定時間を設定することを特徴とする請求項１記載の通信端末装置。
【請求項５】
電源スイッチのオン状態又はオフ状態に応じてそれぞれ通常動作モード又は節電動作モードを設定する第１のステップと、
前記節電モードにおいては設定されている所定時間が経過したときに基地局に対して位置登録を行う機能および基地局から新規に受信した受信メールを所定の記憶手段に記憶する機能を実行し、前記通常動作モードにおいては前記記憶手段に記憶されている受信メールを操作に応じて読み出す機能およびその他装置に具備されている通常の機能を実行する第２のステップと、
を有することを特徴とする通信端末装置における通信制御処理のプログラム。
【発明の詳細な説明】
【０００１】
【発明の属する技術分野】
本発明は、通信端末装置およびその通信制御処理のプログラムに関し、特に、消費電力を節約する節電機能を有する通信端末装置およびその通信制御処理のプログラムに関する。
【０００２】
【従来の技術】
携帯電話のように移動型の通信端末装置においては、通常、充電式の電池によって電源を供給している。その一方、携帯電話は、現在位置を基地局に認識させるための位置登録が必要である。ところが、位置登録のために基地局に対して発信するときの消費電力は大きいので、頻繁に位置登録を行った場合には、通話がないにもかかわらず電池の電力低下は著しくなる。このため、従来から携帯電話などの移動型の通信端末装置における電力消費を低くする提案がなされている。
【０００３】
例えば、待ち受け時には携帯電話機の電源を通常はオフとし、必要が生じたときのみオンとすることにより位置登録の頻度を減少させて消費電力を低減する移動無線装置の提案がある。この提案によれば、移動無線装置を無線電話回線端末機部とページャ部（無線を使って相手からメッセージが入ったことを通知する移動通信システムの端末部）と電源制御部とから構成し、無線電話の待ち受け時においては、無線電話回線端末機部の電源はオフとし、位置登録を必要としないページャ部の電源のみをオンとして、ページャの着信があった時には電源制御部の制御によって無線電話回線端末機部の電源をオン、ページャ部の電源をオフにして、初めて位置登録を行い、通話モードに切換えて通話を行い、通話が終了すれば、同じく電源制御部の制御によって、再び無線電話回線端末機部の電源をオフ、ページャ部の電源をオンとして再び待ち受け状態に入るようにしたものである（特許文献１参照）。
【０００４】
【特許文献１】
特開平６−１７７８２４号公報（段落番号「０００５」、「０００６」、図１）
【０００５】
【発明が解決しようとする課題】
しかしながら、上記特許文献１の構成によれば、ページャの着信があるたびに無線電話回線端末機部の電源をオンにするので、ページャへの着信頻度が高い場合にはむしろ電力消費は大きくなってしまう。また、消費電力の低減する制御が外部に委ねられてしまうため、主体的な制御設計ができない。特に近年においては、通称「ワンギリ」と言われる着信を利用した悪質な商法やいたずら電話が氾濫しているので、頻繁な着信を受ける場合には、上記特許文献１の構成のために却って消費電力の増加を招くという課題が発生する。また、電源制御部による制御のための着信センサとしてページャ部を付加することで、コストアップの要因となる上、装置の小型軽量化の障害になるという新たな課題が発生する。
【０００６】
本発明は、このような従来の課題を解決するものであり、コストアップの要因や装置の小型軽量化の障害になるような新たな部品を付加することなく、合理的に電力消費の低減を図ることが可能な通信端末装置およびその通信制御処理のプログラムを提供することを目的とする。
【０００７】
【課題を解決するための手段】
請求項１に記載の通信端末装置は、電源スイッチのオン状態又はオフ状態に応じてそれぞれ通常動作モード又は節電動作モードを設定する動作モード設定手段（各実施形態においては、図１の制御部１３に相当する）と、節電モードにおいては設定されている所定時間が経過したときに基地局に対して位置登録を行う機能および基地局から受信メールを着信して所定の記憶手段（各実施形態においては、図１の加入者情報記憶部１４に相当する）に記憶する機能を実行し、通常動作モードにおいては記憶手段に記憶されている受信メールを操作に応じて読み出す機能およびその他装置に具備されている通常の機能を実行する制御手段（各実施形態においては、図１の制御部１３に相当する）とを備えた構成になっている。
【０００８】
この場合において、請求項２に記載のように、モード設定手段は、操作によって入力された数値に基づいて所定時間を設定するように構成してもよい。さらにこの場合、請求項３に記載のように、モード設定手段は、位置登録をした時から次の位置登録を行う時までの所定時間および受信メールを着信した時から次に着信する時までの所定時間を操作によって入力された数値に基づいて個別に設定するように構成してもよい。
あるいは、請求項４に記載のように、モード設定手段は、操作によって入力された曜日又は時間帯および数値に応じたパターンに基づいて所定時間を設定するように構成してもよい。
【０００９】
請求項５に記載の通信制御処理のプログラムは、電源スイッチのオン状態又はオフ状態に応じてそれぞれ通常動作モード又は節電動作モードを設定する第１のステップと、節電モードにおいては設定されている所定時間が経過したときに基地局に対して位置登録を行う機能および基地局から新規に受信した受信メールを所定の記憶手段（各実施形態においては、図１の加入者情報記憶部１４に相当する）に記憶する機能を実行し、通常動作モードにおいては記憶手段に記憶されている受信メールを操作に応じて読み出す機能およびその他装置に具備されている通常の機能を実行する第２のステップとを有する構成になっている。なお、この場合において、上記第１および第２のステップは、各実施形態においては、図２ないし図６のフローチャートにおける制御部１３の機能に相当する。
【００１０】
【発明の実施の形態】
以下、本発明による通信端末装置の第１ないし第４の実施形態について、携帯電話を例に採って図を参照して説明する。
図１は、各実施形態における携帯電話１の構成を示すブロック図である。まず、機構的な構成について説明する。携帯電話１の本体ケース（図示せず）には、送受信のアンテナ２、音声発生用のスピーカ３、カラー液晶などからなる表示部４、キー入力部５、音声入力用のマイク６、モノクロ液晶などからなるサブ表示部７、背面キー８、リンガ音で着信を通知するスピーカ９が設けられている。さらに、キー入力部５には、電源スイッチ、テンキースイッチ、クリアスイッチ、発信スイッチ、メールスイッチなど（図示さず）のほかに、オフフックスイッチ５１およびオンフックスイッチ５２が設けられている。背面キー８は、透明又は半透明の部材で構成され、着信に応じて点滅するＬＥＤ８１を内蔵している。また、振動によって着信を通知するバイブレータ１０が本体ケースに内蔵されている。
【００１１】
次に、電気的な構成について説明する。無線送受信部１１は、アンテナ２を介して、変調された音声やデータを送信又は受信する。無線信号処理部１２は、無線送受信部１１によって受信された音声やデータを復調し、無線送受信部１１によって送信される音声やデータを変調する。制御部１３は、この装置全体を制御し、内部には一定時間（「タイマ最小単位時間」という）ごとにタイマインタラプトを発生するタイマ１３１を備えている。
【００１２】
加入者情報記憶部１４は、アドレス帳エリア、着信メールをストアする受信ＢＯＸのエリア、発信メールをストアする送信ＢＯＸのエリアなどで構成されている。システムＲＯＭ１５は、制御部１３によって実行される通信制御処理のプログラムや種々の初期データなどを記憶している。メモリ１６は、外部から入力されるデータ、外部に出力するデータ、内部で授受されるデータなど、制御部１３によって処理されるデータを一時的に記憶するワークエリアである。
【００１３】
音声信号処理部１７は、通話中の音声信号をディジタルからアナログに変換してスピーカ３に与えて発音させるとともに、マイク６からの音声信号をアナログからディジタルに変換して制御部１３に入力する。ドライバ１８は、背面キー８のＬＥＤ８１、スピーカ９、およびバイブレータ１０を駆動する。ドライバ１９は、表示部４を駆動する。ドライバ２０は、サブ表示部７を駆動する。
【００１４】
次に、図１の構成による第１の実施形態の動作について、図２ないし図６に示す制御部１３の動作フローチャートに基づいて説明する。なお、制御部１３は、電源スイッチがオフの状態でも完全に動作を停止している訳ではない。例えば、電源スイッチのオン・オフの状態を検出処理や後述するような特定の処理を行う。
図２は制御部１３による通信制御処理のメインフローチャートである。まず、電源スイッチがオンされたか否かを判別し（ステップＳＡ１）、オンされたときはフラグＯＮＦを「１（通常動作モード）」にセットする（ステップＳＡ２）。そして、タイマインタラプトを禁止し（ステップＳＡ３）、無線送受信部１１や無線信号処理部１２などの通信部、および、ドライバ１９、２０、表示部４、サブ表示部７などからなる表示部に供給される電源をオンにする（ステップＳＡ４）。
【００１５】
ステップＳＡ１において電源スイッチがオンでない場合には、電源スイッチがオフされたか否かを判別し（ステップＳＡ５）、オフされたときはＯＮＦを「０（節電動作モード）」にセットし、タイマレジスタＴに「０」をストアする（ステップＳＡ６）。そして、通信部および表示部に供給されている電源をオフにして（ステップＳＡ７）、タイマインタラプト禁止を解除する（ステップＳＡ８）。
【００１６】
ステップＳＡ４において通信部および表示部への電源をオンにした後、若しくは、ステップＳＡ８においてタイマインタラプト禁止を解除した後、又は、電源スイッチが操作されていない場合には、ＯＮＦの値が「１」であるか「０」であるかを判別する（ステップＳＡ９）。ＯＮＦが「１」である場合には通常動作モードに設定して、オン処理を実行し（ステップＳＡ１０）、ＯＮＦが「０」である場合には節電動作モードに設定して、オフ処理を実行する（ステップＳＡ１１）。
【００１７】
図３および図４は、メインフローチャートにおけるステップＳＡ１０のオン処理のフローチャートである。まず、待受画面を表示部４に表示する（ステップＳＢ１）。次に、キー入力部５のオフフックスイッチ５１の操作によりオフフックされたか否かを判別する（ステップＳＢ２）。オフフックされたときは、番号入力画面を表示する（ステップＳＢ３）。そして、テンキースイッチによって番号が入力されたか否かを判別する（ステップＳＢ４）。番号が入力されたときは、その番号を表示する（ステップＳＢ５）。次に、発信スイッチがオンされたか否かを判別する（ステップＳＢ６）。このスイッチがオンでない場合には、クリアスイッチがオンされたか否かを判別する（ステップＳＢ７）。クリアスイッチがオンされたときは、入力データを消去する（ステップＳＢ８）。そして、ステップＳＢ１に移行して待受画面を表示する。クリアスイッチがオンでない場合には、ステップＳＢ４に移行して番号入力を待つ。
【００１８】
ステップＳＢ６において発信スイッチがオンされたときは、入力された番号の相手先に発信する発信処理を行い（ステップＳＢ９）、スピーカ３から呼出音を報知する（ステップＳＢ１０）。そして、回線の接続が確立したか否かを判別する（ステップＳＢ１１）。接続が確立したときは、呼出音の報知を停止して、通話モードに遷移して通話処理を行う（ステップＳＢ１２）。通話モードにおいては、オンフックスイッチ５２の操作によってオンフックされたか否かを判別し（ステップＳＢ１３）、オンフックされたときは、通話モードから待受けモードに遷移して、ステップＳＢ１に移行して待受画面を表示する。
【００１９】
ステップＳＢ２においてオフフックでない場合には、図４のフローチャートにおいて、電話着信を検知したか否かを判別する（ステップＳＢ１４）。着信を検知したときは、スピーカ９および背面キー８のＬＥＤ８１によって着信を報知する（ステップＳＢ１５）。そして、オフフックスイッチ５１の操作又は背面キー８の操作によってオフフックされたか否かを判別する（ステップＳＢ１６）。オフフックされたときは、着信の報知を停止して通話モードに遷移し、通話処理を行う（ステップＳＢ１７）。この通話モードにおいては、オンフックされたか否かを判別し（ステップＳＢ１８）、オンフックされたときは待受けモードに遷移して、図３のステップＳＢ１に移行して待受画面を表示する。
【００２０】
ステップＳＢ１４において着信を検知しない場合には、メール着信を検知したか否かを判別する（ステップＳＢ１９）。メール着信を検知したときは、スピーカ９および背面キー８のＬＥＤ８１によってメール着信を報知する（ステップＳＢ２０）。この後は、図３のステップＳＢ１に移行して待受画面を表示する。
メール着信を検知しない場合には、メールスイッチがオンされたか否かを判別する（ステップＳＢ２１）。このスイッチがオンされたときは、メール処理を実行して（ステップＳＢ２２）、図３のステップＳＢ１に移行して待受画面を表示する。このスイッチがオンでない場合には、受信レベルを検知して（ステップＢ２３）、受信レベルが低下しているか否かを判別する（ステップＳＢ２４）。受信レベルが低下している場合には、基地局に対して位置登録処理を行う（ステップＳＢ２５）。位置登録処理の後又は受信レベルが低下していない場合には、図３のステップＳＢ１に移行して待受画面を表示する。
【００２１】
図５は、図２のメインフローチャートにおけるステップＳＡ１１のオフ処理のフローチャートである。まず、タイマ最小単位時間が経過したか否かを判別し（ステップＳＣ１）、経過したときはタイマレジスタＴの値を「１」だけインクリメントする（ステップＳＣ２）。そして、Ｔの値が所定値に達したか否かを判別する（ステップＳＣ３）。Ｔの値が所定値に達していない場合にはこのフローを終了するが、所定値に達したときは通信部に供給する電源をオンにする（ステップＳＣ４）。
【００２２】
次に、基地局に発信して位置登録処理を行う（ステップＳＣ５）。さらに、新着メールの問い合わせ処理を行い（ステップＳＣ６）、新着メールがあるか否かを判別する（ステップＳＣ７）。新着メールがある場合には、そのメールを受信して受信ＢＯＸにストアする（ステップＳＣ８）。新着メールをストアした後、又は、ステップＳＣ７において新着メールがない場合には、Ｔの値を初期値「０」に戻して、このフローチャートを終了して図２のメインフローチャートに戻る。
【００２３】
図６は、図４のオン処理におけるステップＳＢ２２のメール処理のフローチャートである。最初にメールメニューを表示して（ステップＳＤ１）、キー入力部５の操作によってメニュー選択がされたか否かを判別する（ステップＳＤ２）。メニュー選択がされない場合には、クリアスイッチがオンされたか否かを判別する（ステップＳＤ３）。このスイッチがオンされたときは、このフローチャートを終了して、図４のオン処理のフローチャートに戻る。このスイッチがオンされない場合には、メールメニュー画面においてメニュー選択を待つ。
【００２４】
メニュー選択がされたときは、その選択メニューが新規作成であるか否かを判別し（ステップＳＤ４）、新規作成である場合には、新規作成画面を表示する（ステップＳＤ５）。そして、キー入力部５からの操作に応じてデータ入力を行う（ステップＳＤ６）。この後、発信スイッチの操作に応じて作成したメールを送信し（ステップＳＤ７）、送信ＢＯＸにストアする（ステップＳＤ８）。
【００２５】
選択されたメニューが新規作成でない場合には、新着メールの問い合わせのメニューが選択されたか否かを判別する（ステップＳＤ９）。このメニューが選択された場合には、新着メール問い合わせ処理を行う（ステップＳＤ１０）。そして、新着メールがあるか否かを判別し（ステップＳＤ１１）、新着メールがある場合には、受信ＢＯＸにストアする（ステップＳＤ１２）。
【００２６】
選択されたメニューが新規作成および新着メール問い合わせでない場合には、受信ＢＯＸのメニューが選択されたか否かを判別する（ステップＳＤ１３）。このメニューが選択されたときは、受信ＢＯＸ処理を行う（ステップＳＤ１４）。例えば、受信ＢＯＸの閲覧、返信、登録、削除などの処理を操作に応じて行う。選択されたメニューが受信ＢＯＸでない場合には、送信ＢＯＸのメニューが選択されたか否かを判別する（ステップＳＤ１５）。このメニューが選択されたときは、送信ＢＯＸ処理を行う（ステップＳＤ１６）。例えば、送信ＢＯＸの閲覧、削除などの処理を操作に応じて行う。選択されたメニューが上記のいずれでもない場合には、メール設定などのようなその他のメニューが選択されたか否かを判別する（ステップＳＤ１７）。その他のメニューが選択されたときは、その他の処理を行う（ステップＳＤ１８）。
【００２７】
以上のように、本発明の通信端末装置である第１の実施形態における携帯電話１によれば、制御部１３は、電源スイッチのオン状態又はオフ状態に応じてそれぞれ通常動作モード又は節電動作モードを設定し、節電モードにおいては設定されている所定時間が経過したときに基地局に対して位置登録を行う機能および基地局から受信メールを着信して加入者情報記憶部１４に記憶する機能を実行し、通常動作モードにおいては加入者情報記憶部１４に記憶されている受信メールを操作に応じて読み出す機能およびその他装置に具備されている通常の機能を実行する。
したがって、コストアップの要因や装置の小型軽量化の障害になるような新たな部品を付加することなく、合理的に電力消費の低減を図ることができる。
【００２８】
次に、第２の実施形態について説明する。
第２の実施形態においては、節電動作モードにおいて位置登録および受信メールの着信を行う間隔である所定時間をユーザの操作によって設定する。すなわち、ユーザが自分の生活パターンに応じた数値に基づいて所定時間を設定する。これにより、合理的に電力消費の低減を図ることができる。
【００２９】
次に、第３の実施形態について説明する。
第３の実施形態においては、位置登録をした時から次の位置登録を行う時までの所定時間および受信メールを着信した時から次に着信する時までの所定時間を操作によって入力された数値に基づいて個別に設定する。例えば、朝９時から午後５時まではオフィス内で動かずに仕事をしている場合には、頻繁に位置登録をする必要はないが、受信メールの着信は頻繁に受けたい場合もある。このような状況においては、位置登録から次の位置登録までの時間を長く設定し、受信メールの着信から次の着信までの時間は短く設定する。この場合には、電力消費の大きい発信を頻繁には行わないので、実情に適した合理的に電力消費の低減を図ることができる。
【００３０】
次に、第４の実施形態について説明する。
第４の実施形態においては、ユーザの操作によって入力された曜日又は時間帯および数値に応じたパターンに基づいて所定時間を設定する。例えば、平日の場合と休日の場合とでは同じ時間帯でも生活パターンが異なる場合が多い。したがって、曜日や時間帯と数値との組み合わせによって異なるパターンを入力して、位置登録や受信メールの着信の時間間隔を設定して、生活パターンに合わせて合理的に電力消費の低減を図ることができる。
【００３１】
なお、上記各実施形態においては、システムＲＯＭ１５に予め記憶されている通信制御処理のプログラムを制御部１３が実行する通信端末装置について説明したが、メモリスティックなどの外部メモリを駆動するドライバを設けて、その外部メモリから通信制御処理のプログラムをインストールする構成にしてもよい。あるいは、外部のサーバなどの装置と無線回線で接続して、アンテナ２、無線送受信部１１、および無線信号処理部１２を介して、通信制御処理のプログラムをインストールする構成にしてもよい。この場合には、プログラムの発明を実現できる。
【００３２】
すなわち、その通信制御処理のプログラムは、電源スイッチのオン状態又はオフ状態に応じてそれぞれ通常動作モード又は節電動作モードを設定する第１のステップと、節電モードにおいては設定されている所定時間が経過したときに基地局に対して位置登録を行う機能および基地局から新規に受信した受信メールを所定の記憶手段に記憶する機能を実行し、通常動作モードにおいては記憶手段に記憶されている受信メールを操作に応じて読み出す機能およびその他装置に具備されている通常の機能を実行する第２のステップとを有する。
【００３３】
【発明の効果】
本発明によれば、電源スイッチのオン状態又はオフ状態に応じてそれぞれ通常動作モード又は節電動作モードを設定し、節電モードにおいては設定されている所定時間が経過したときに基地局に対して位置登録を行う機能および基地局から新規に受信した受信メールを所定の記憶手段に記憶する機能を実行し、通常動作モードにおいては記憶手段に記憶されている受信メールを操作に応じて読み出す機能およびその他装置に具備されている通常の機能を実行するので、コストアップの要因や装置の小型軽量化の障害になるような新たな部品を付加することなく、合理的に電力消費の低減を図ることができるという効果がある。
【図面の簡単な説明】
【図１】本発明の各実施形態における携帯電話の構成を示すブロック図。
【図２】図１の制御部による通信制御処理のメインフローチャート。
【図３】図２におけるオン処理のフローチャート。
【図４】図３に続くオン処理のフローチャート。
【図５】図２におけるオフ処理のフローチャート。
【図６】図４のオン処理におけるメール処理のフローチャート。
【符号の説明】
１  携帯電話
２  アンテナ
３、９  スピーカ
４  表示部
５  キー入力部
６  マイク
７  サブ表示部
８  背面キー
１０  バイブレータ
１１  無線送受信部
１２  無線信号処理部
１３  制御部
１４  加入者情報記憶部
１５  システムＲＯＭ
１６  メモリ
１７  音声信号処理部
１８、１９、２０  ドライバ
５１  オフフックスイッチ
５２  オンフックスイッチ
８１  ＬＥＤ
１３３  タイマ
【図１】
2005020117.tif 000003
【図２】
2005020117.tif 000004
【図３】
2005020117.tif 000005
【図４】
2005020117.tif 000006
【図５】
2005020117.tif 000007
【図６】
2005020117.tif 000008